(57)【特許請求の範囲】
【請求項１】
接近してきた通信端末と通信を行い、前記通信端末の固有アドレスを取得するアドレス取得部と、
前記アドレス取得部により取得された固有アドレスが登録されているアドレスと一致した場合、自己の電源状態を、必要最小限の機能のみに電源が供給されるスタンバイ状態から、ユーザへの提示機能以外の機能に電源が供給される高速起動状態に遷移させ、前記自己の電源状態が前記高速起動状態に遷移した後、ユーザによる操作があった場合、前記自己の電源状態を、すべての機能に電源が供給されるオン状態に遷移させる電源制御部と、
前記通信端末の固有アドレスの一部に対応させて、ユーザに提供する情報を記憶する提供情報記憶部と、
前記アドレス取得部により取得された固有アドレスが登録されているアドレスと一致した場合、取得された固有アドレスの一部に対応させて前記提供情報記憶部に記憶されている情報を抽出し、前記ユーザの操作により前記自己の電源状態が前記オン状態になったときに提供するように準備する情報提供部と
を備える電子機器。
【請求項２】
前記電源制御部は、前記自己の電源状態が前記高速起動状態に遷移した後、ユーザによる操作が一定時間ない場合、前記自己の電源状態を、前記スタンバイ状態に遷移させる
請求項１に記載の電子機器。
【請求項３】
前記電源制御部は、前記自己の電源状態が前記オン状態に遷移した後、前記通信端末との通信が切断された場合、前記自己の電源状態を、前記高速起動状態に遷移させる
請求項１または２のいずれかに記載の電子機器。
【請求項４】
前記通信端末の固有アドレスに対応させて、ユーザの嗜好情報を記憶する嗜好情報記憶部と、
前記アドレス取得部により取得された固有アドレスが登録されているアドレスと一致した場合、取得された固有アドレスに対応させて前記嗜好情報記憶部に記憶されているユーザの嗜好情報に応じた情報を抽出し、前記ユーザの操作により前記自己の電源状態が前記オン状態になったときに提供するように準備する情報提供部と
をさらに備える請求項１乃至３のいずれかに記載の電子機器。
【請求項５】
前記提示機能は、映像を表示する映像表示部および音声を出力する音声出力部である
請求項１乃至４のいずれかに記載の電子機器。
【請求項６】
電子機器が、
接近してきた通信端末と通信を行い、前記通信端末の固有アドレスを取得し、
取得された固有アドレスが登録されているアドレスと一致した場合、自己の電源状態を、必要最小限の機能のみに電源が供給されるスタンバイ状態から、ユーザへの提示機能以外の機能に電源が供給される高速起動状態に遷移させ、前記自己の電源状態が前記高速起動状態に遷移した後、ユーザによる操作があった場合、前記自己の電源状態を、すべての機能に電源が供給されるオン状態に遷移させ、
前記通信端末の固有アドレスの一部に対応させて、ユーザに提供する情報を提供情報記憶部に記憶し、
取得された固有アドレスが登録されているアドレスと一致した場合、取得された固有アドレスの一部に対応させて前記提供情報記憶部に記憶されている情報を抽出し、前記ユーザの操作により前記自己の電源状態が前記オン状態になったときに提供するように準備する
電源制御方法。
【請求項７】
接近してきた通信端末と通信を行い、前記通信端末の固有アドレスを取得するアドレス取得部と、
前記アドレス取得部により取得された固有アドレスが登録されているアドレスと一致した場合、自己の電源状態を、必要最小限の機能のみに電源が供給されるスタンバイ状態から、ユーザへの提示機能以外の機能に電源が供給される高速起動状態に遷移させ、前記自己の電源状態が前記高速起動状態に遷移した後、ユーザによる操作があった場合、前記自己の電源状態を、すべての機能に電源が供給されるオン状態に遷移させる電源制御部と、
前記通信端末の固有アドレスの一部に対応させて、ユーザに提供する情報を記憶する提供情報記憶部と、
前記アドレス取得部により取得された固有アドレスが登録されているアドレスと一致した場合、取得された固有アドレスの一部に対応させて前記提供情報記憶部に記憶されている情報を抽出し、前記ユーザの操作により前記自己の電源状態が前記オン状態になったときに提供するように準備する情報提供部と
して、コンピュータを機能させるプログラム。
【発明の詳細な説明】
【技術分野】
【０００１】
本開示は、電子機器、電源制御方法、およびプログラムに関し、特に、ユーザの近接により、電子機器を高速起動することができるようにした電子機器、電源制御方法、およびプログラムに関する。
【背景技術】
【０００２】
特許文献１には、ユーザの外出および帰宅に連動させて、電源の稼働状態をスタンバイ状態およびオン状態に移行させる電源管理システムが提案されている。
【０００３】
また、特許文献２には、ユーザが電子装置を使用する際に、ユーザが所持しているユーザの個人情報を記憶した電子機器との無線交信が行われ、その交信により、ユーザの個人情報が電子装置に読み取られる。そして、電子装置においては、その個人情報に基づき、ユーザに応じてカスタマイズ設定される提案がなされている。
【先行技術文献】
【特許文献】
【０００４】
【特許文献１】特開２００８−００５３４１号公報
【特許文献２】特開２００３−１６９２４７号公報
【発明の概要】
【発明が解決しようとする課題】
【０００５】
しかしながら、特許文献１に記載の提案は、ユーザの外出および帰宅の検知に、赤外線よりも指向性が弱く、感度の調整も容易な電波を用いているため、同じ携帯端末や同じ無線方式の場合、他人の機器であっても、誤検出してしまう恐れがあった。
【０００６】
これに対して、特許文献２に記載の提案は、他人の携帯端末の誤検出はないものの、個人情報をやり取りすることで、個人を特定しているため、ユーザ意図に反して、個人情報が外部とやり取りされる恐れがあった。
【０００７】
本開示は、このような状況に鑑みてなされたものであり、ユーザの近接により、電子機器を高速起動することができるものである。
【課題を解決するための手段】
【０００８】
本開示の一側面の電子機器は、接近してきた通信端末と通信を行い、前記通信端末の固有アドレスを取得するアドレス取得部と、前記アドレス取得部により取得された固有アドレスが登録されているアドレスと一致した場合、自己の電源状態を、必要最小限の機能のみに電源が供給されるスタンバイ状態から、ユーザへの提示機能以外の機能に電源が供給される高速起動状態に遷移させ、前記自己の電源状態が前記高速起動状態に遷移した後、ユーザによる操作があった場合、前記自己の電源状態を、すべての機能に電源が供給されるオン状態に遷移させる電源制御部と、前記通信端末の固有アドレスの一部に対応させて、ユーザに提供する情報を記憶する提供情報記憶部と、前記アドレス取得部により取得された固有アドレスが登録されているアドレスと一致した場合、取得された固有アドレスの一部に対応させて前記提供情報記憶部に記憶されている情報を抽出し、前記ユーザの操作により前記自己の電源状態が前記オン状態になったときに提供するように準備する情報提供部とを備える。
【００１０】
前記電源制御部は、前記自己の電源状態が前記高速起動状態に遷移した後、ユーザによる操作が一定時間ない場合、前記自己の電源状態を、前記スタンバイ状態に遷移させることができる。
【００１１】
前記電源制御部は、前記自己の電源状態が前記オン状態に遷移した後、前記通信端末との通信が切断された場合、前記自己の電源状態を、前記高速起動状態に遷移させることができる。
【００１２】
前記通信端末の固有アドレスに対応させて、ユーザの嗜好情報を記憶する嗜好情報記憶部と、前記アドレス取得部により取得された固有アドレスが登録されているアドレスと一致した場合、取得された固有アドレスに対応させて前記嗜好情報記憶部に記憶されているユーザの嗜好情報に応じた情報を抽出しておき、前記ユーザの操作により前記自己の電源状態が前記オン状態になったときに提供するように準備する情報提供部とをさらに備えることができる。
【００１４】
前記提示機能は、映像を表示する映像表示部および音声を出力する音声出力部である。
【００１５】
本開示の一側面の電源制御方法は、電子機器が、接近してきた通信端末と通信を行い、前記通信端末の固有アドレスを取得し、取得された固有アドレスが登録されているアドレスと一致した場合、自己の電源状態を、必要最小限の機能のみに電源が供給されるスタンバイ状態から、ユーザへの提示機能以外の機能に電源が供給される高速起動状態に遷移させ、前記自己の電源状態が前記高速起動状態に遷移した後、ユーザによる操作があった場合、前記自己の電源状態を、すべての機能に電源が供給されるオン状態に遷移させ、前記通信端末の固有アドレスの一部に対応させて、ユーザに提供する情報を提供情報記憶部に記憶し、取得された固有アドレスが登録されているアドレスと一致した場合、取得された固有アドレスの一部に対応させて前記提供情報記憶部に記憶されている情報を抽出し、前記ユーザの操作により前記自己の電源状態が前記オン状態になったときに提供するように準備する。
【００１６】
本開示の一側面のプログラムは、接近してきた通信端末と通信を行い、前記通信端末の固有アドレスを取得するアドレス取得部と、前記アドレス取得部により取得された固有アドレスが登録されているアドレスと一致した場合、自己の電源状態を、必要最小限の機能のみに電源が供給されるスタンバイ状態から、ユーザへの提示機能以外の機能に電源が供給される高速起動状態に遷移させ、前記自己の電源状態が前記高速起動状態に遷移した後、ユーザによる操作があった場合、前記自己の電源状態を、すべての機能に電源が供給されるオン状態に遷移させる電源制御部と、前記通信端末の固有アドレスの一部に対応させて、ユーザに提供する情報を記憶する提供情報記憶部と、前記アドレス取得部により取得された固有アドレスが登録されているアドレスと一致した場合、取得された固有アドレスの一部に対応させて前記提供情報記憶部に記憶されている情報を抽出し、前記ユーザの操作により前記自己の電源状態が前記オン状態になったときに提供するように準備する情報提供部として、コンピュータを機能させる。
【００１７】
本開示の一側面においては、接近してきた通信端末と通信が行われて、前記通信端末の固有アドレスが取得される。そして、取得された固有アドレスが登録されているアドレスと一致した場合、自己の電源状態が、必要最小限の機能のみに電源が供給されるスタンバイ状態から、ユーザへの提示機能以外の機能に電源が供給される高速起動状態に遷移され、前記自己の電源状態が前記高速起動状態に遷移した後、ユーザによる操作があった場合、前記自己の電源状態が、すべての機能に電源が供給されるオン状態に遷移される。また、前記通信端末の固有アドレスの一部に対応させて、ユーザに提供する情報が提供情報記憶部に記憶されており、取得された固有アドレスが登録されているアドレスと一致した場合、取得された固有アドレスの一部に対応させて前記提供情報記憶部に記憶されている情報が抽出され、前記ユーザの操作により前記自己の電源状態が前記オン状態になったときに提供するように準備される。
【発明の効果】
【００１８】
本開示の一側面によれば、電子機器を起動することができる。特に、ユーザの近接により、電子機器を高速起動することができる。
【図面の簡単な説明】
【００１９】
【図１】本技術を適用した無線通信システムの構成例を示すブロック図である。
【図２】ペアリングの例を説明するフローチャートである。
【図３】受信装置の電源状態の遷移を示す図である。
【図４】受信装置の電源状態制御処理を説明するフローチャートである。
【図５】無線通信システムの応用例を示す図である。
【図６】記録装置の構成例を示すブロック図である。
【図７】嗜好情報記憶部の例を示す図である。
【図８】高速起動状態への遷移処理を説明するフローチャートである
【図９】ＯＮ状態への遷移処理を説明するフローチャートである。
【図１０】携帯端末による受信装置の操作例を説明する図である。
【図１１】固有アドレスについて説明する図である。
【図１２】コンピュータの構成例を示すブロック図である。
【発明を実施するための形態】
【００２０】
以下、本開示を実施するための形態（以下実施の形態とする）について説明する。
【００２１】
[受信装置の構成例]
図１は、本技術を適用した電子機器としての受信装置が含まれる無線通信システムの構成例を示す図である。
【００２２】
図１に示す無線通信システムは、アンテナ１１、受信装置１２、携帯端末１３、記録装置１４、およびサーバ１５を含むように構成されている。
【００２３】
受信装置１２は、アンテナ１１を介して、図示せぬ放送装置からの放送信号を受信、選局し、その映像を表示するとともに、その音声を出力する。
【００２４】
受信装置１２は、無線による通信可能範囲に存在する携帯端末１３と無線通信２１により接続されている。受信装置１２は、DLNA(Digital Living Network Alliance)やHDMI(High-Definition Multimedia Interface)などのネットワーク２２により記録装置１４と接続されている。さらに、受信装置１２は、インターネット２３などによりサーバ１５と接続されている。
【００２５】
受信装置１２は、チューナ５１、信号処理部５２、映像出力部５３、音声出力部５４、外部通信部５５、システム制御部５６、および受光部５７を含むように構成される。また、受信装置１２は、無線制御部６１、電源制御部６２、無線回路６３、固有アドレス格納メモリ６４、接続機器の固有アドレス格納メモリ６５、および電源回路６６を含むように構成される。
【００２６】
チューナ５１は、アンテナ１１を介して受信された放送信号から、ユーザの選局に対応する放送信号を抽出して復調し、トランスポートストリーム（TS : transport Stream）を生成し、トランスポートストリームを、信号処理部５２に供給する。
【００２７】
信号処理部５２は、チューナ５１から入力されるトランスポートストリームのスクランブルを適宜解除して、多重化されたトランスポートストリームを、映像または音声データなどのストリームや、セクションデータに分離する。信号処理部５２は、分離した映像データに対しては、デコードを行い、必要に応じて、データ放送データなどを付加（重畳）し、映像出力部５３に表示させる。信号処理部５２は、分離した音声データに対しては、デコードを行い、音声出力部５４に表示させる。また、信号処理部５２は、分離した映像データおよび音声データを、コンテンツとして、記録装置１４に記録させる。
【００２８】
また、信号処理部５２は、分離したセクションデータに対しては、そのうちのＥＰＧ（Electronic Program Guide）情報などを、ＥＰＧ記憶部１１２（図６）などに記憶する。信号処理部５２は、システム制御部５６からのコンテンツの情報やＥＰＧの情報を用いて表示の準備を行い、映像出力部５３に表示させる。
【００２９】
映像出力部５３は、受信装置１２の提示機能の１つであり、信号処理部５２からのデータに対応する映像を表示する。音声出力部５４は、受信装置１２の提示機能の１つであり、信号処理部５２からのデータに対応する音声を出力する。提示機能とは、ユーザに何らかの提示を行う機能である。
【００３０】
外部通信部５５は、システム制御部５６の制御のもと、ネットワーク２２を介して、記録装置１４と通信を行い、記録装置１４に記憶されているコンテンツから、所望のコンテンツを探索させる。また、外部通信部５５は、システム制御部５６の制御のもと、インターネット２３を介して、サーバ１５と通信を行い、サーバ１５に記憶されているコンテンツから、所望のコンテンツを探索させる。
【００３１】
システム制御部５６は、図示せぬRAMに展開されたプログラムや受光部５７などを介して入力されるユーザの操作に対応して、受信装置１２の各部を制御する。例えば、システム制御部５６は、受光部５７などを介して入力されるユーザの操作に対応して、電源制御部６２を制御し、受信装置１２の電源状態を遷移させる。
【００３２】
受光部５７は、図示せぬリモートコントローラからの赤外線を受光し、ユーザの操作に対応する信号を、システム制御部５６に供給する。
【００３３】
無線制御部６１は、無線回路６３を制御して携帯端末１３と通信し、予め、ペアリングを行う。ペアリングにおいては、固有アドレス格納メモリ６４からの自己の固有アドレスが携帯端末１３に送信され、携帯端末１３からの固有アドレスが、接続機器の固有アドレス格納メモリ６５に格納される。
【００３４】
この固有アドレスは、Bluetooth（登録商標）やWiFi（登録商標）などの無線機能に設けられているアドレスである。
【００３５】
無線制御部６１は、無線回路６３を制御して、接近してきた携帯端末１３と通信を行い、携帯端末１３からの固有アドレスを取得させる。無線制御部６１は、取得した固有アドレスが、接続機器の固有アドレス格納メモリ６５に格納されているアドレスと一致した場合、電源制御部６２に、受信装置１２の電源状態を、高速起動状態に遷移させる。
【００３６】
ここで、受信装置１２の電源状態には、スタンバイ状態、高速起動状態、およびオン状態の３つの状態がある。
【００３７】
スタンバイ状態は、携帯端末１３の待ち受けに必要最小限の機能のみに電源供給される状態のことである。図１の一点鎖線内は、スタンバイ状態における起動部を示している。具体的には、スタンバイ状態においては、図１の一点鎖線内に示されるように、無線制御部６１、電源制御部６２、無線回路６３、固有アドレス格納メモリ６４、接続機器の固有アドレス格納メモリ６５、および電源回路６６に電源が供給される。
【００３８】
高速起動状態は、受信装置１２を構成するほとんどの部に電源が供給され、起動しているが、ユーザには、スタンバイ状態と同じ状態にみえる状態のことである。すなわち、高速起動状態は、ユーザへの提示機能以外の機能に電源が供給される状態のことである。図１の点線内は、高速起動状態における起動部を示している。高速起動状態においては、図１の点線内に示されるように、提示機能である映像出力部５３および音声出力部５４以外の各部に、電源が供給される。具体的には、高速起動状態においては、スタンバイ状態で起動されている各部の他に、チューナ５１、信号処理部５２、外部通信部５５、システム制御部５６、および受光部５７にも電源が供給される。なお、提示機能は、映像出力部５３および音声出力部５４だけに限らず、ユーザに何かを提示する機能であれば、そのような機能も含まれる。例えば、電源のオンオフをユーザに提示するランプなども提示機能に含まれる。
【００３９】
オン状態は、受信装置１２の全ての部が起動しており、ユーザに画像や音声を提供している状態である。具体的には、オン状態においては、高速起動状態で起動されている各部の他に、映像出力部５３および音声出力部５４にも電源が供給される。
【００４０】
なお、実際には、受信装置１２の電源状態として、主電源が落とされて、受信装置１２すべての部に電源が供給されない主電源のオフ状態もある。以降、主電源オフの場合には、主電源と明記して説明する。
【００４１】
無線制御部６１は、携帯端末１３が、無線の通信可能範囲にいるか否かなどに応じて、電源制御部６２を制御し、受信装置１２の電源状態を遷移させる。
【００４２】
電源制御部６２は、無線制御部６１からの制御またはシステム制御部５６からの制御のもと、電源回路６６を制御し、受信装置１２の電源状態を遷移させる。
【００４３】
無線回路６３は、無線制御部６１の制御のもと、無線通信２１の通信可能範囲に存在する携帯端末１３と通信を行う。例えば、無線回路６３は、無線制御部６１からの自己の固有アドレスを、携帯端末１３に送り、携帯端末１３の固有アドレスを取得し、無線制御部６１に供給する。
【００４４】
固有アドレス格納メモリ６４は、自己の固有アドレスを格納している。また、固有アドレス格納メモリ６４は、自己が対応する機能などの情報も記憶している。接続機器の固有アドレス格納メモリ６５は、ペアリングされた携帯端末１３などの接続機器の固有アドレスを格納している。また、接続機器の固有アドレス格納メモリ６５は、接続機器が対応する機能などの情報も記憶している。
【００４５】
電源回路６６は、受信装置１２の各部のうち、電源制御部６２からの制御に応じた部に電源を供給する。
【００４６】
携帯端末１３は、携帯可能に形成されている。携帯端末１３は、例えば、スマートフォンと呼ばれる、携帯電話と携帯情報端末を融合させたモバイル性に優れた高機能の携帯端末などである。携帯端末１３は、他に、タブレット端末や携帯電話機であってもよいし、モバイルＰＣ（Personal Computer）であってもよい。携帯端末１３は、無線回路８１、無線制御部８２、固有アドレス格納メモリ８３、接続機器の固有アドレスメモリ８４、およびシステム制御部８５を含むように構成されている。なお、図１の例において、携帯端末１３においては、本技術を実現するために必要な機能部しか記載されていない。
【００４７】
無線回路８１は、無線制御部８２の制御のもと、無線通信２１を介して、その通信可能範囲に存在する受信装置１２と通信を行う。例えば、無線回路８１は、無線制御部８２からの自己の固有アドレスを、受信装置１２に送り、受信装置１２の固有アドレスを取得し、無線制御部８２に供給する。
【００４８】
固有アドレス格納メモリ８３は、自己の固有アドレスを格納している。また、固有アドレス格納メモリ８３は、自己が対応する機能などの情報も記憶している。接続機器の固有アドレス格納メモリ８４は、ペアリングされた受信装置１２などの接続機器の固有アドレスを格納している。また、接続機器の固有アドレス格納メモリ８４は、接続機器が対応する機能などの情報も記憶している。
【００４９】
システム制御部８５は、図示せぬRAMに展開されたプログラムや図示せぬ操作部などを介して入力されるユーザの操作に対応して、携帯端末１３の各部を制御する。
【００５０】
記録装置１４は、例えば、ブルーレイディスクレコーダやパーソナルコンピュータ、ハードディスクドライバなどで構成される。記録装置１４は、ネットワーク２２により受信装置１２と接続されており、受信装置１２からのコンテンツを記録する。また、記録装置１４に記憶されているコンテンツは、ネットワーク２２を介して、受信装置１２により検索され、取得される。
【００５１】
サーバ１５は、インターネット２３に接続されているネットワークサーバなどである。サーバ１５は、インターネット２３により受信装置１２と接続されており、コンテンツを記憶している。サーバ１５に記憶されているコンテンツは、受信装置１２によりインターネット２３を介して、検索され、取得される。なお、サーバ１５は、サーバ自体がコンテンツを記憶していなくてもよく、コンテンツの情報の検索、取得ができれば、例えば、検索エンジンなどのＷｅｂサービスを提供しているサーバであってもよい。
【００５２】
なお、図１の例においては、受信装置１２の外部に記録装置１４を設ける例を説明したが、ハードディスクドライブなどを受信装置１２の内部に備えるようにしてもよい。
【００５３】
[ペアリングの例]
次に、図２のフローチャートを参照して、受信装置１２と携帯端末１３とを無線通信２１で接続するための初期動作であるペアリング処理について説明する。
【００５４】
まず、ユーザは、受信装置１２に対して、携帯端末１３を近づけて、相互の固有アドレスを登録するペアリング処理を行わせる。
【００５５】
受信装置１２の無線制御部６１は、ステップＳ１１において、無線回路６３を制御して、無線通信２１の通信可能範囲に対して、ページング（探索）を行う。その際、無線制御部６１は、固有アドレス格納メモリ６４から読み出した自己の固有アドレスを、無線回路６３に送付させる。
【００５６】
携帯端末１３の無線回路８１は、無線通信２１を介して、受信装置１２の固有アドレスを受信して、無線制御部８２に供給する。無線制御部８２は、無線回路８１からの受信装置１２の固有アドレスを読み出し、読み出した固有アドレスを、接続機器の固有アドレス格納メモリ８４に格納する。
【００５７】
そして、無線制御部８２は、ステップＳ２１において、無線回路８１を制御して、受信装置１２に対して、応答を行う。その際、無線制御部８２は、固有アドレス格納メモリ８３から自己の固有アドレスを読み出し、読み出した自己の固有アドレスを、無線回路８１に送付させる。
【００５８】
受信装置１２の無線回路６３は、無線通信２１を介して、携帯端末１３の固有アドレスを受信して、無線制御部６１に供給する。無線制御部６１は、無線回路６３からの携帯端末１３の固有アドレスを、接続機器の固有アドレス格納メモリ６４に格納する。
【００５９】
そして、無線制御部６１は、ステップＳ１２において、無線回路６３を制御して、携帯端末１３に対して照会を行う。すなわち、無線制御部６１は、携帯端末１３に対して、どのような機能に対応しているかを問いかける。
【００６０】
携帯端末１３の無線回路８１は、無線通信２１を介して、受信装置１２の照会を受信して、無線制御部８２に供給する。無線制御部８２は、ステップＳ２２において、無線回路８１からの照会に対応する応答を行う。すなわち、無線制御部８２は、無線回路８１からの照会に対応する情報（対応している機能の情報）を、固有アドレス格納メモリ８３から読み出し、無線回路８１に送信させる。
【００６１】
受信装置１２の無線回路６３は、無線通信２１を介して、照会に対応する応答を受信して、無線制御部６１に供給する。無線制御部６１は、無線回路６３からの携帯端末１３の照会に対応する情報を、接続機器の固有アドレス格納メモリ６４に格納する。
【００６２】
そして、無線制御部６１は、ステップＳ１３において、無線回路６３を制御して、携帯端末１３に対して認証要請を行う。携帯端末１３の無線回路８１は、無線通信２１を介して、受信装置１２の認証要求を受信して、無線制御部８２に供給する。無線制御部８２は、ステップＳ２３において、無線回路８１からの認証要求に対応する応答を行う。認証要求においては、例えば、ユーザに対して、ピンコードなど数字の入力が求められたりするので、ユーザにより入力されたピンコードの情報が、認証要求に対応する応答として、受信装置１２に送付される。
【００６３】
受信装置１２の無線回路６３は、無線通信２１を介して、認証要求に対応する応答を受信して、無線制御部６１に供給する。無線制御部６１は、認証要求に対応する応答を受け、ステップＳ１４において、携帯端末１３と無線通信２１により接続する。これに対応して、携帯端末１３も、ステップＳ２４において、受信装置１２と無線通信２１により接続する。
【００６４】
以上のようなペアリングの処理により、固有アドレスが相互に登録される。これにより、以降の処理において、無線通信２１により接続した携帯端末が有する固有アドレスを特定することができる。なお、図２の例は、一例であり、照会や認証が必要なければ、それらのステップは省かれる。
【００６５】
[電源状態の遷移図]
図３は、受信装置１２の電源状態の遷移を示す図である。
【００６６】
まず、受信装置１２の電源状態がスタンバイ状態であるとする。このとき、受信装置１２においては、一点鎖線内に示されるように、スタンバイ状態における起動部に電源が供給されている。すなわち、無線制御部６１、電源制御部６２、無線回路６３、固有アドレス格納メモリ６４、接続機器の固有アドレス格納メモリ６５、および電源回路６６に電源が供給されている。
【００６７】
スタンバイ状態においては、無線回路６３が、定期的に周辺電波の監視を行い、携帯端末の近接や消滅（通信可能範囲外に出た、または、電源がオフされたことによる）を検知する。周辺に予めペアリングされた携帯端末１３がいない場合、受信装置１２は、スタンバイ状態に保持される。
【００６８】
このようなスタンバイ状態において、ペアリングされた固有アドレスにより携帯端末１３が検出されたとき、矢印１に示されるように、電源状態は、高速起動状態に遷移される。これにより、受信装置１２においては、点線内に示されるように、高速起動状態における起動部として、スタンバイ状態における起動部の他に、チューナ５１、信号処理部５２、外部通信部５５、システム制御部５６、および受光部５７に電源が供給される。
【００６９】
高速起動状態において、ユーザ操作による電源のオンが検出されたとき、矢印２に示されるように、電源状態は、オン状態に遷移される。これに対応して、受信装置１２においては、高速起動状態における起動部の他に、映像出力部５３および音声出力部５４にも電源が供給される。
【００７０】
これにより、例えば、ユーザが帰宅後、図示せぬリモートコントローラなどを操作することにより受信装置１２をオンすると、受信装置１２がスタンバイ状態から起動するのを待つストレスをユーザが感じることもなく、画像と音声がすぐに出力される。またチャンネル切り替えなどの操作もすぐに行え、すぐに反応が返ってくる。
【００７１】
ただし、もしユーザが帰宅後、受信装置１２を見ないで眠ってしまった場合には、受信装置１２が高速起動状態を保持したままとなり、消費電力が大きいままとなってしまう。
【００７２】
そこで、ユーザ近接を検出した後に高速起動状態を保持する時間（例えば、３０分）を設定可能にしておく。これにより、帰宅後、携帯端末１３の近接により、受信装置１２の電源状態が高速起動状態に遷移し、例えば、３０分以内に受信装置１２に対してオン操作がなされない場合、電源状態は、スタンバイ状態に遷移される。その結果、消費電力を抑えることができる。
【００７３】
また、オン状態において、ユーザ操作による電源オフが検出されたとき、または、携帯端末１３が、無線通信２１の通信可能範囲から消滅しまったとき、矢印３に示されるように、電源状態は、高速起動状態に遷移される。これにより、受信装置１２においては、映像出力部５３および音声出力部５４への電源供給が禁止される。
【００７４】
なお、ここで、携帯端末１３が、無線通信２１の通信可能範囲から消滅するとは、携帯端末１３が通信可能範囲から出てしまうこと、あるいは、携帯端末１３の電源がオフされてしまうなど、携帯端末１３との通信が切断されてしまうことなどを意味する。
【００７５】
もちろん、家族で視聴中に、１人のユーザが携帯端末１３をもって席を外す場合もあるので、受信装置１２においては、携帯端末１３の消滅によるスタンバイ状態への遷移を無効にする機能を持つようにしてもよい。
【００７６】
一方、高速起動状態において、一定時間、ユーザの操作が検出されないとき、矢印３に示されるように、電源状態は、スタンバイ状態に遷移される。これにより、受信装置１２においては、チューナ５１、信号処理部５２、外部通信部５５、システム制御部５６、および受光部５７への電源供給が禁止される。
【００７７】
［電源状態制御処理の例］
次に、図４のフローチャートを参照して、受信装置１２の電源状態制御処理について説明する。なお、この処理は、ユーザにより主電源がオフされたときに終了される処理である。
【００７８】
例えば、ユーザが、図示せぬリモートコントローラを操作することで、受信装置１２の主電源をオンする。受光部５７は、リモートコントローラからの赤外線を受光し、ユーザの操作に対応する信号をシステム制御部５６に供給する。システム制御部５６は、ステップＳ５１において、電源制御部６２を制御し、電源状態をオン状態に遷移させる。
【００７９】
システム制御部５６は、ステップＳ５２において、ユーザ操作によるオフが指示されたか否かを判定する。ステップＳ５２において、ユーザ操作によるオフが指示されたと判定された場合、処理は、ステップＳ５５に進む。
【００８０】
また、ステップＳ５２において、ユーザ操作によるオフが指示されていないと判定された場合、処理は、ステップＳ５３に進む。無線制御部６１は、ステップＳ５３において、無線回路６３を制御して、無線通信２１の通信可能範囲に対して、ポーリング処理を行う。このとき、無線制御部６１は、固有アドレス格納メモリ６４から読み出した自己の固有アドレスを、無線回路６３に送付させている。
【００８１】
ステップＳ５４において、無線制御部６１は、携帯端末１３が無線通信２１の通信可能範囲から消滅したか否かを判定する。
【００８２】
例えば、携帯端末１３が、無線通信２１の通信可能範囲におり、受信装置１２の固有アドレスを受け取った場合、無線回路８１から、無線制御部８２に受信装置１２の固有アドレスが供給される。無線制御部８２は、接続機器の固有アドレス格納メモリ８４に、受信装置１２の固有アドレスと一致するアドレスが格納されていた場合、固有アドレス格納メモリ８３から携帯端末１３の固有アドレスを読み出す。無線制御部８２は、読み出した携帯端末１３の固有アドレスを、無線回路８１を介して、送信してくる。
【００８３】
受信装置１２の無線回路６３は、携帯端末１３の固有アドレスを受信した場合、無線制御部６１に供給し、無線制御部６１は、供給された固有アドレスが、接続機器の固有アドレス格納メモリ６５に格納されているかを確認する。
【００８４】
無線制御部６１は、固有アドレスが、機器の固有アドレス格納メモリ６５に格納されている場合、ステップＳ５４において、携帯端末１３が通信可能範囲から消滅していないと判定され、処理は、ステップＳ５２に戻り、それ以降の処理が繰り返される。
【００８５】
一方、携帯端末１３が無線通信２１の通信可能範囲にいない場合、携帯端末１３の固有アドレスは、送信されてこないので、ステップＳ５４において、携帯端末１３が通信可能範囲から消滅したと判定され、処理は、ステップＳ５５に進む。
【００８６】
すなわち、ステップＳ５２においてＹｅｓと判定された場合、またはステップＳ５４においてＮｏと判定された場合、無線制御部６１は、ステップＳ５５において、電源制御部６２を制御し、図３の矢印３に示されるように、電源状態を高速起動状態に遷移させる。
【００８７】
ステップＳ５６において、システム制御部５６は、ユーザ操作によるオンが指示されたか否かを判定する。ステップＳ５６において、ユーザ操作によるオンが指示されたと判定された場合、処理は、ステップＳ５１に戻り、それ以降の処理を繰り返す。すなわち、この場合、ステップＳ５１において、電源状態は、図３の矢印２に示されるように、オン状態に遷移される。
【００８８】
また、ステップＳ５６において、ユーザ操作によるオフが指示されていないと判定された場合、処理は、ステップＳ５７に進む。ステップＳ５７において、システム制御部５６は、ユーザによる操作が無操作のまま、一定時間が経過したか否かを判定する。
【００８９】
ステップＳ５７において、ユーザによる操作が無操作のまま、一定時間が経過していないと判定された場合、処理は、ステップＳ５６に戻り、それ以降の処理が繰り返される。ステップＳ５７において、ユーザによる操作が無操作のまま、一定時間が経過したと判定された場合、処理は、ステップＳ５８に進む。
【００９０】
すなわち、ステップＳ５７においてＹｅｓと判定された場合、無線制御部６１は、ステップＳ５８において、電源制御部６２を制御し、図３の矢印４に示されるように、電源状態をスタンバイ状態に遷移させる。
【００９１】
ステップＳ５９において、無線制御部６１は、無線回路６３を制御して、無線通信２１の通信可能範囲に対して、ポーリング処理を行う。このとき、無線制御部６１は、固有アドレス格納メモリ６４から読み出した自己の固有アドレスを、無線回路６３に送付させている。
【００９２】
ステップＳ６０において、無線制御部６１は、携帯端末１３を検出したか否かを判定する。
【００９３】
例えば、携帯端末１３が無線通信２１の通信可能範囲におり、受信装置１２の固有アドレスを受け取った場合、無線回路８１から、無線制御部８２に受信装置１２の固有アドレスが供給される。無線制御部８２は、接続機器の固有アドレス格納メモリ８４に、受信装置１２の固有アドレスと一致するアドレスが格納されていた場合、固有アドレス格納メモリ８３から携帯端末１３の固有アドレスを読み出す。無線制御部８２は、読み出した携帯端末１３の固有アドレスを、無線回路８１を介して、送信してくる。
【００９４】
受信装置１２の無線回路６３は、携帯端末１３の固有アドレスを受信した場合、無線制御部６１に供給し、無線制御部６１は、供給された固有アドレスが、接続機器の固有アドレス格納メモリ６５に格納されているかを確認する。
【００９５】
無線制御部６１は、固有アドレスが、機器の固有アドレス格納メモリ６５に格納されている場合、ステップＳ６０において、携帯端末１３を検出したと判定され、処理は、ステップＳ５５に戻り、それ以降の処理が繰り返される。すなわち、この場合、ステップＳ５５において、電源状態は、図３の矢印１に示されるように、高速起動状態に遷移される。
【００９６】
また、ステップＳ６０において、携帯端末１３を検出していないと判定された場合、処理は、ステップＳ５９に戻り、それ以降の処理が繰り返される。
【００９７】
以上のように、携帯端末１３の検出を、無線機能の固有アドレスを用いて行うようにしたので、同じ機種や同じタイプの携帯端末１３を誤検出することを抑制することが可能である。また、この固有アドレス検出は、Bluetooth（登録商標）やWiFi（登録商標）などの無線機能の既存技術で可能な情報収集であるので、新たに、通信機能を組み込む必要がない。
【００９８】
なお、次に、図５を参照して、図１の無線通信システムにおいて、受信装置１２に複数の携帯端末１３の固有アドレスを保持し、ペアリングされた固有アドレスにユニーク情報を紐付けできるようにした例について説明する。
【００９９】
[無線通信システムの応用例]
図５の例においては、受信装置１２、父の携帯端末１３−１、母の携帯端末１３−２、および娘の携帯端末１３−３、記録装置１４、およびサーバ１５が示されている。上述したように、受信装置１２は、通信可能範囲に存在する携帯端末１３（いまの場合、携帯端末１３−１）と無線通信２１により接続されている。受信装置１２は、ネットワーク２２により記録装置１４と接続されている。さらに、受信装置１２は、インターネット２３などによりサーバ１５と接続されている。
【０１００】
受信装置１２は、予め、父の携帯端末１３−１、母の携帯端末１３−２、および娘の携帯端末１３−３と、図２を参照して上述したペアリング動作を行い、各携帯端末１３−１乃至１３−３の固有アドレスを、接続機器の固有アドレス格納メモリ６５に格納する。この際、アドレスＡは、父、アドレスＢは、母、アドレスＣは、娘として、ユーザ情報が、紐付けして記憶される。
【０１０１】
これにより、例えば、アドレスＡの近接の場合には２チャンネルの表示、アドレスＢの近接の場合には３チャンネルの表示を準備しておくなど、携帯端末１３の近接による電源制御で高速起動状態における表示の準備を、ユーザ毎に変えることが可能となる。
【０１０２】
さらに、ユーザと嗜好情報とを紐付けすることにより、例えば、アドレスＡの携帯端末１３−１が近接したら、固有アドレスにより接続が行われるとともに、ユーザは、父であることがわかる。したがって、受信装置１２は、記録装置１４またはサーバ１５と接続することで、高速起動状態において、接続した記録装置１４またはサーバ１５から、父の嗜好にあったコンテンツの情報を準備する。さらに、受信装置１２が、オン状態になったところで、高速起動状態において準備しておいた情報を、すぐに、映像出力部５３などに表示することで、ユーザである父に、父の嗜好にあったコンテンツの情報（例えば、リストなど）を提供することが可能となる。
【０１０３】
以下、詳細について説明していく。
【０１０４】
[受信装置および記録装置の構成例]
図６は、受信装置１２および記録装置１４の構成例を示すブロック図である。
【０１０５】
受信装置１２は、図１に示した機能ブロックに加えて、嗜好情報記憶部１１１およびＥＰＧ記憶部１１２を含むように構成されている。なお、図６の例においては、外部通信部５５、システム制御部５６、嗜好情報記憶部１１１、およびＥＰＧ記憶部１１２しか記載されていないが、受信装置１２は、図１に示した機能ブロックも有している。すなわち、受信装置１２は、チューナ５１乃至受光部５７、無線制御部６１乃至電源回路６６、嗜好情報記憶部１１１、およびＥＰＧ記憶部１１２を含むように構成されている。
【０１０６】
無線制御部６１からの近接した携帯端末１３の固有アドレスが供給されると、システム制御部５６は、嗜好情報記憶部１１１から固有アドレスに対応付けて記憶されているユーザの嗜好情報を取得する。
【０１０７】
システム制御部５６は、取得したユーザの嗜好情報に基づき、ＥＰＧ記憶部１１２のＥＰＧ情報の中から、ユーザの好みの番組（コンテンツ）を検索する。システム制御部５６は、ＥＰＧ情報の中に、ユーザの好みの番組がある場合、信号処理部５２を制御し、ＯＮ状態となったときに、ユーザ好みの番組のリストが表示されるように表示の準備を行わせる。または、システム制御部５６は、ＥＰＧ情報の中に、ユーザの好みの番組がある場合、チューナを制御し、ＯＮ状態となったときに、ユーザ好みの番組のチャンネルが表示されるように表示の準備（選局）を行う。
【０１０８】
また、システム制御部５６は、外部通信部５５を制御し、取得したユーザの嗜好情報を、記録装置１４に送信させ、記録装置１４に記録されているコンテンツのうち、ユーザの好みのコンテンツを探索させる。システム制御部５６は、外部通信部５５を介して記録装置１４から取得されたコンテンツの情報を、信号処理部５２に供給し、表示の準備を行わせる。
【０１０９】
嗜好情報記憶部１１１は、携帯端末１３の固有アドレスに対応付けて、ユーザの嗜好情報を記憶している。この嗜好情報は、ユーザにより予め入力されるようにしてもよいし、図１０を参照して後述するが、固有アドレスに対応する操作履歴から取得するようにしてもよい。
【０１１０】
ＥＰＧ記憶部１１２は、放送信号から取得されたセクションデータから分離されるＥＰＧ（Electronic Program Guide）情報を記憶している。
【０１１１】
記録装置１４は、外部通信部１２１、システム制御部１２２、顔検索エンジン１２３、およびＨＤＤ（ハードディスクドライブ）１２４を含むように構成されている。
【０１１２】
外部通信部１２１は、受信装置１２から送られてくる嗜好情報を受信し、システム制御部１２２に供給する。また、外部通信部１２１は、システム制御部１２２からのコンテンツの情報を、受信装置１２に送信する。
【０１１３】
システム制御部１２２は、ＨＤＤ１２４のコンテンツリスト１３１を参照して、外部通信部１２１からの嗜好情報に応じたコンテンツを探す。また、例えば、外部通信部１２１からの嗜好情報に著名人の名前がある場合、システム制御部１２２は、顔検索エンジン１２３を制御し、その名前の著名人の顔を、コンテンツリスト１３１またはコンテンツから検索させるようにしてもよい。コンテンツリスト１３１は、ＨＤＤ１２４に記憶されているコンテンツを管理している。
【０１１４】
なお、図６の例においては、嗜好情報記憶部を受信装置１２に備える例を示したが、例えば、記録装置１４に内蔵させてもよい。この場合、受信装置１２から、固有アドレスが、記憶装置１４に送信される。
【０１１５】
[嗜好情報記憶部の例]
図７は、嗜好情報記憶部１１１の例を示す図である。図７の例において、嗜好情報記憶部１１１は、固有アドレス、並びに、固有アドレスに対応付けて記憶されるユーザ情報および嗜好情報で構成されている。
【０１１６】
固有アドレスＡに対応付けて、ユーザが父であり、父の嗜好情報が、ゴルフ、□□（プロゴルファー名）であることが記憶されている。
【０１１７】
固有アドレスＢは、ユーザが母であり、母の嗜好情報が、韓国、ドラマ、△△（役者名）であることが記憶されている。
【０１１８】
固有アドレスＣは、ユーザが娘であり、娘の嗜好情報が、歌、お笑い、○○（アイドル名）であることが記憶されている。
【０１１９】
[高速起動状態への遷移処理の例]
次に、図８のフローチャートを参照して、電源状態のスタンバイ状態からの高速起動状態への遷移処理について説明する。なお、図８の処理は、上述した図４のステップＳ６０において、ＹＥＳと判定された場合のステップＳ５５における高速起動状態への遷移処理の一例である。
【０１２０】
無線制御部６１は、ステップＳ１１１において、電源制御部６２を制御し、高速起動状態での起動部に対して電源を供給させる。すなわち、スタンバイ状態においては、電源回路６６から、無線制御部６１、電源制御部６２、無線回路６３、固有アドレス格納メモリ６４、接続機器の固有アドレス格納メモリ６５、および電源回路６６に電源が供給されている。したがって、高速起動状態においては、さらに、電源回路６６から、チューナ５１、信号処理部５２、外部通信部５５、システム制御部５６、受光部５７、嗜好情報記憶部１１１、およびＥＰＧ記憶部１１２に電源が供給される。
【０１２１】
また、このとき、無線制御部６１は、システム制御部５６に、検出した携帯端末の固有アドレスを供給する。
【０１２２】
システム制御部５６は、ステップＳ１１２において、無線制御部６１からの固有アドレスに対応して、嗜好情報記憶部１１１から嗜好情報を取得する。例えば、固有アドレスＡに対応して、父の嗜好情報である「ゴルフ、□□（ゴルファー名）」が取得される。
【０１２３】
システム制御部５６は、取得した嗜好情報を、外部通信部５５を介して、記録装置１４に送信させることで、ステップＳ１１３において、記録装置１４にコンテンツを検索させる。
【０１２４】
すなわち、外部通信部１２１は、受信装置１２からの嗜好情報を、システム制御部１２２に供給する。システム制御部１２２は、ＨＤＤ１２４のコンテンツリスト１３１を参照して、外部通信部１２１からの嗜好情報に応じたコンテンツを検索する。例えば、ゴルフや□□（ゴルファー名）に関するコンテンツの情報が検索される。システム制御部１２２は、コンテンツリスト１３１を参照して検索した結果であるコンテンツの情報を、外部通信部１２１を介して、送信してくる。
【０１２５】
なお、例えば、ＨＤＤ１２４においては、他人に見られたくないコンテンツなどへのアクセス制限を設定し、それを固有アドレスにより許可するようにすることも可能である。また、例えば、父の携帯端末１３−１の固有アドレス以外でのコンテンツの検索対象から、父以外へのアクセス制限のないコンテンツを除外することも可能である。
【０１２６】
システム制御部５６は、記録装置１４からのコンテンツの情報を、外部通信部５５を介して取得すると、ステップＳ１１４において、信号処理部５２を制御し、取得したコンテンツの情報を用いて、検索したコンテンツのリストを生成させる。
【０１２７】
以上のように、高速起動状態においては、オン状態になったときに映像出力部５３に表示させるための準備として、コンテンツのリストが生成される。
【０１２８】
[オン状態への遷移処理の例]
次に、図９のフローチャートを参照して、電源状態の高速起動状態からオン状態への遷移処理について説明する。なお、図８の処理は、上述した図４のステップＳ５６において、Ｙｅｓと判定された場合のステップＳ５１におけるオン状態への遷移処理の一例である。
【０１２９】
無線制御部６１は、ステップＳ１３１において、電源制御部６２を制御し、オン状態での起動部に対して電源を供給させる。すなわち、高速起動状態においては、電源回路６６から、無線制御部６１、電源制御部６２、無線回路６３、固有アドレス格納メモリ６４、接続機器の固有アドレス格納メモリ６５、および電源回路６６に電源が供給されている。また、電源回路６６から、チューナ５１、信号処理部５２、外部通信部５５、システム制御部５６、受光部５７、嗜好情報記憶部１１１、およびＥＰＧ記憶部１１２に電源が供給されている。
【０１３０】
したがって、オン状態においては、さらに、電源回路６６から、映像出力部５３、および音声出力部５４に電源が供給される。
【０１３１】
図８のステップＳ１１４において、信号処理部５２は、オン状態になったときの表示の準備として、コンテンツのリストを生成している。映像出力部５３に電源が供給されると、信号処理部５２は、生成したコンテンツのリストを映像出力部５３に供給する。
【０１３２】
これに対応して、映像出力部５３は、ステップＳ１３２において、生成したコンテンツのリストを表示する。
【０１３３】
以上のように、固有アドレスにより父の携帯端末１３−１の近接が検出されて、高速起動状態となり、父の嗜好情報を基に検索されたコンテンツのリストが準備され、オン状態になったときに、準備されたコンテンツのリストが表示される。
【０１３４】
したがって、ユーザの嗜好情報に応じたお勧めコンテンツの視聴を提案することができる。
【０１３５】
なお、上記説明においては、嗜好情報に応じたお勧めコンテンツのリストが表示される例を説明したが、ＥＰＧ情報から、嗜好情報に応じた番組が検索されて、オン状態になったときに、その番組を表示させるようにしてもよい。
【０１３６】
また、上記説明においては、オン状態になったときに、お勧めコンテンツのリストが表示される例を説明した。これに対して、例えば、図８のステップＳ１１３においてコンテンツが検索されたことをきっかけに、受信装置１２の電源状態をオン状態に遷移させて、生成したコンテンツリストを表示させるようにしてもよい。
【０１３７】
以上の説明においては、ユーザが、受光部５７にむけてリモートコントローラを操作することで、受信装置１２への指示を入力する例を説明してきたが、携帯端末１３を操作することで、無線通信２１による受信装置１２への指示を入力することもできる。
【０１３８】
すなわち、赤外線以外にも、例えば、近接検知している携帯端末１３を用いての、無線通信２１によるチャンネル切替や音量調整などの制御も可能である。
【０１３９】
図１０の例においては、受信装置１２が、図２を参照して上述したペアリングを行い、父の携帯端末１３−１および母の携帯端末１３−２を検出している。この場合、受信装置１２は、携帯端末１３−１および携帯端末１３−２からの無線通信２１によるチャンネル切替や音量調整などの指示を受け付ける。
【０１４０】
具体的には、携帯端末１３−１に設けられるタッチパネルなどを介して、システム制御部８５にユーザの受信装置１２のチャンネル切替の操作信号が入力される。システム制御部８５は、無線制御部８２を制御し、無線回路８１を介して、その操作信号を送信させる。このとき、無線制御部８２は、固有アドレス格納メモリ８３に格納される自分の固有アドレスも同時に送信させる。
【０１４１】
無線制御部６１は、無線回路６３を介して、固有アドレスと操作信号を受けて、システム制御部５６に供給し、システム制御部５６は、固有アドレスが、検出されている携帯端末１３−１の固有アドレスであるか否かを判定する。固有アドレスが、検出されている携帯端末１３−１の固有アドレスであると判定された場合、システム制御部５６は、操作信号が対応するチャンネル切替を、チューナ５１に指示する。
【０１４２】
以上のようにして、受信装置１２専用のリモートコントローラ以外でも、携帯端末１３を用いての受信装置１２の制御も可能である。
【０１４３】
操作としては、チャンネル切替、音量調整の他に、例えば、コンテンツ検索や視聴・録画予約なども可能である。なお、操作の種類は、これに限定されない。
【０１４４】
これにより、固有アドレス毎に操作履歴を蓄積することが可能になり、その蓄積された操作履歴を基に、嗜好情報記憶部１１１の嗜好情報を更新することが可能になる。
【０１４５】
また、固有アドレスを用いた通信なので、他の人とのダブり操作や衝突などがおきるのを防ぐことが可能である。
【０１４６】
さらに、赤外線とは異なり、遮るものに影響されず、電波強度の範囲であれば、通信の範囲や方向に制限がない。
【０１４７】
また、固有アドレスに優先度を付けて、操作する携帯端末に優先度を付けるようにすることも可能である。例えば、優先度の高い時間を分割して、一定時間ごとに優先度の高い携帯端末を変えることも可能である。これにより、例えば、チャンネル争いなどに対応することができる。
【０１４８】
なお、上記説明においては、受信装置１２においては、携帯端末１３の固有アドレス毎、すなわち、ユーザ毎に、お勧めコンテンツなどを生成して、表示の準備を行う例を説明した。これに対して、さらに、固有アドレスを用いて、ユーザ毎に限らず、例えば、ベンダー毎や携帯端末の機種毎に応じて表示の準備を行うようにすることもできる。
【０１４９】
［固有アドレスの例］
図１１は、固有アドレスの例を示している。
【０１５０】
上述した固有アドレスは、NAP(Non-significant Address Part)、UAP(Upper Address Part)、およびLAP(Lower Address Part)で構成されている。NAPは、１６ビットであり、UAPは、８ビットであり、LAPは、２４ビットである。
【０１５１】
NAP＋UAPは、Organizationally Unique Identifiers(OUIs)と呼ばれるベンダー固有のIDであり、IEEE規格で管理され、各ベンダーは、IEEEに申請することにより自社の番号を取得している。
【０１５２】
LAPは、一部のアドレス（0x9E8B00-0x9E8B3F）を除いて、各ベンダーが自由に割り振ることができる。
【０１５３】
そこで、受信装置１２においては、固有アドレス毎にコンテンツリストなどを生成し、表示の準備を行うようにしたが、例えば、NAP＋UAPを用いて、ベンダー毎に異なる表示の準備を行うようにしてもよい。
【０１５４】
また、例えば、LAPの割り振りを機器毎に分けている場合（例えば、LAPの上位８ビットで商品ＩＤに割り振っている場合）、ベンダーの商品毎に異なる表示の準備を行うことが可能である。この場合、固有アドレスの一部（例えば、LAPの上位８ビット）に対応させて、ユーザに提供する情報を、例えば、提供情報記憶部に記憶させておく。
【０１５５】
これにより、例えば、「NAP＋UAP = 01:23:45のベンダーでLAP上位８ビット = 89の商品は、ｘ社のタブレット端末だから、この商品を持っているユーザには、この映画を勧めよう、あるいは、この映画を配信しようということが可能になる。
【０１５６】
なお、上記説明においては、受信装置を用いて説明したが、受信装置に限定されず、本技術は、電源の制御を行うことが可能な電子機器に適用することができる。
【０１５７】
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１５８】
[コンピュータの構成例]
図１２は、上述した一連の処理をプログラムにより実行するコンピュータのハードウエアの構成例を示している。
【０１５９】
コンピュータにおいて、CPU（Central Processing Unit）２０１，ROM（Read Only Memory）２０２，RAM（Random Access Memory）２０３は、バス２０４により相互に接続されている。
【０１６０】
バス２０４には、さらに、入出力インタフェース２０５が接続されている。入出力インタフェース２０５には、入力部２０６、出力部２０７、記憶部２０８、通信部２０９、及びドライブ２１０が接続されている。
【０１６１】
入力部２０６は、キーボード、マウス、マイクロホンなどよりなる。出力部２０７は、ディスプレイ、スピーカなどよりなる。記憶部２０８は、ハードディスクや不揮発性のメモリなどよりなる。通信部２０９は、ネットワークインタフェースなどよりなる。ドライブ２１０は、磁気ディスク、光ディスク、光磁気ディスク、又は半導体メモリなどのリムーバブルメディア２１１を駆動する。
【０１６２】
以上のように構成されるコンピュータでは、CPU２０１が、例えば、記憶部２０８に記憶されているプログラムを、入出力インタフェース２０５及びバス２０４を介して、RAM２０３にロードして実行することにより、上述した一連の処理が行われる。
【０１６３】
コンピュータ（CPU２０１）が実行するプログラムは、例えば、パッケージメディア等としてのリムーバブルメディア２１１に記録して提供することができる。また、プログラムは、ローカルエリアネットワーク、インターネット、デジタル衛星放送といった、有線または無線の伝送媒体を介して提供することができる。
【０１６４】
コンピュータでは、プログラムは、リムーバブルメディア２１１をドライブ２１０に装着することにより、入出力インタフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【０１６５】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１６６】
なお、本明細書において、上述した一連の処理を記述するステップは、記載された順序に沿って時系列的に行われる処理はもちろん、必ずしも時系列的に処理されなくとも、並列的あるいは個別に実行される処理をも含むものである。
【０１６７】
また、本開示における実施の形態は、上述した実施の形態に限定されるものではなく、本開示の要旨を逸脱しない範囲において種々の変更が可能である。
【０１６８】
例えば、本技術は、１つの機能を、ネットワークを介して複数の装置で分担、共同して処理するクラウドコンピューティングの構成をとることができる。
【０１６９】
また、上述のフローチャートで説明した各ステップは、１つの装置で実行する他、複数の装置で分担して実行することができる。
【０１７０】
さらに、１つのステップに複数の処理が含まれる場合には、その１つのステップに含まれる複数の処理は、１つの装置で実行する他、複数の装置で分担して実行することができる。
【０１７１】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。つまり、本技術は、上述した実施の形態に限定されるものではなく、本技術の要旨を逸脱しない範囲において種々の変更が可能である。
【０１７２】
以上、添付図面を参照しながら本開示の好適な実施形態について詳細に説明したが、開示はかかる例に限定されない。本開示の属する技術の分野における通常の知識を有するであれば、特許請求の範囲に記載された技術的思想の範疇内において、各種の変更例また修正例に想到し得ることは明らかであり、これらについても、当然に本開示の技術的範囲に属するものと了解される。
【符号の説明】
【０１７４】
１２  受信装置，  １３，１３−１乃至１３−３  携帯端末，  １４  記録装置，  １５  サーバ，  ２１  無線通信，  ２２  ネットワーク，  ２３  インターネット，  ５１  チューナ，  ５２  信号処理部，  ５３  映像出力部，  ５４  音声出力部，  ５５  外部通信部，  ５６  システム制御部，  ５７  受光部，  ６１  無線制御部，  ６２  電源制御部，  ６３  無線回路，  ６４  固有アドレス格納メモリ，  ６５  接続機器の固有アドレス格納メモリ，  ６６  電源回路，  ８１  無線回路，  ８２  無線制御部，  ８３  固有アドレス格納メモリ，  ８４  接続機器の固有アドレス格納メモリ，  ８５  システム制御部，  １１１  嗜好情報記憶部，  １１２  ＥＰＧ記憶部，  １２１  外部通信部，  １２２  システム制御部，  １２３  顔検索エンジン，  １２４  ＨＤＤ，  １３１  コンテンツリスト
【図１】
0005950151.tif 000002
【図２】
0005950151.tif 000003
【図３】
0005950151.tif 000004
【図４】
0005950151.tif 000005
【図５】
0005950151.tif 000006
【図６】
0005950151.tif 000007
【図７】
0005950151.tif 000008
【図８】
0005950151.tif 000009
【図９】
0005950151.tif 000010
【図１０】
0005950151.tif 000011
【図１１】
0005950151.tif 000012
【図１２】
0005950151.tif 000013